(57)【特許請求の範囲】
【請求項１】
帯状の金属板で形成されたつる本体と、長さ方向に伸縮可能でつる本体よりも短いコイルばねとを有し、つる本体の幅はコイルばねの内径よりも短く形成されて、つる本体はコイルばねに挿通され、把持部においてつる本体の周囲にコイルばねが存在し、つる本体の両端部はそれぞれ折り返されて折り返し部が形成され、折り返し部がそれと対向するつる本体との距離を縮めるように圧接された状態でコイルばねに挿入されている土瓶などの液体つぎのつるであって、少なくとも一方の折り返し部の側縁に凹部が設けられており、圧接状態の折り返し部の復帰力によって、折り返し部に圧接しているコイルばねの内径を押し広げることができる弾性力をつる本体は有しており、押し広げられたコイルばねのばね線の一部が元の位置に復帰する方向に移動して折り返し部の凹部に係止することを特徴とする液体つぎのつる。
【請求項２】
凹部は、折り返し部の両側縁に１つずつ設けられている請求項１記載の液体つぎのつる。
【発明の詳細な説明】
【技術分野】
【０００１】
本発明は、一般家庭などで使用される土瓶などの液体つぎのつるに関する。
【背景技術】
【０００２】
帯状の金属板のつる本体をコイルばねに挿通させた土瓶のつるは、その構成によってはつるを土瓶に対して垂直に立てた状態を維持することができるものがあり、また、金属製であるために劣化することがなくほぼ永久的に使用できるので現在でも好評を得ている。
【０００３】
しかし、従来品は、つる本体の折り返し部の端部が圧接状態で伸縮可能なコイルばねに挿入されている。したがって、不意に指先などがコイルばねの端部に触れてコイルばねを収縮させたときに、コイルばねに挿入されていた折り返し部の端部が折り返し部の復帰力によって勢いよく飛び出すことがあった。例えば、土瓶に入っている熱湯を他の容器に注いでいる最中にコイルばねが突然飛び出すと、使用者はその衝撃に驚いて思わず熱湯をこぼしたり他方の手にかけたりする虞がある。
【先行技術文献】
【特許文献】
【０００４】
【特許文献１】実開平２−９０７５４号公報
【発明の概要】
【発明が解決しようとする課題】
【０００５】
本発明は、使用中に指先などがコイルばねの端部に触れても、コイルばねを収縮させることなく折り返し部をコイルばねの中に確実に挿入しておくことができる土瓶や鉄瓶などのつるを提供するものである。
【課題を解決するための手段】
【０００６】
本発明の請求項１は、帯状の金属板で形成されたつる本体と、長さ方向に伸縮可能でつる本体よりも短いコイルばねとを有し、つる本体の幅はコイルばねの内径よりも短く形成されて、つる本体はコイルばねに挿通され、把持部においてつる本体の周囲にコイルばねが存在し、つる本体の両端部はそれぞれ折り返されて折り返し部が形成され、折り返し部がそれと対向するつる本体との距離を縮めるように圧接された状態でコイルばねに挿入されている土瓶などの液体つぎのつるであって、少なくとも一方の折り返し部の側縁に凹部が設けられており、圧接状態の折り返し部の復帰力によって、折り返し部に圧接しているコイルばねの内径を押し広げることができる弾性力をつる本体は有しており、押し広げられたコイルばねのばね線の一部が元の位置に復帰する方向に移動して折り返し部の凹部に係止する構成である。
【０００７】
請求項２は、凹部がそれぞれの折り返し部の両側縁に１つずつ設けられている要素が請求項１に付加された構成である。
【発明の効果】
【０００８】
請求項１は、つる本体の少なくとも一方の折り返し部の側縁に凹部が設けられており、圧接状態の折り返し部の復帰力によって、折り返し部に圧接しているコイルばねの内径を押し広げることができる弾性力をつる本体は有しており、押し広げられたコイルばねのばね線の一部が元の位置に復帰する方向に移動して折り返し部の凹部に係止する。したがって、ばね線の一部と折り返し部の凹部とが係止状態となり、コイルばねを収縮させることなく折り返し部をコイルばねの中に確実に挿入しておくことができるから、つる本体の折り返し部が突然飛び出すことを防止できる。
【０００９】
請求項２は、凹部が、それぞれの折り返し部の両側縁に１つずつ設けられている。したがって、１つの折り返し部の係止箇所が２つであるからさらに確実に折り返し部の飛び出しを防止できる。
【図面の簡単な説明】
【００１０】
【図１】図１は本発明の使用状態図である。
【図２】図２は本発明の正面図である。
【図３】図３は折り返し部の側面図である。
【図４】図４は折り返し部をコイルばねに挿入した状態の正面図である。
【図５】図５は折り返し部とコイルばねの結合状態を示す拡大断面図である。
【図６】図６は凹部の他の実施例を示す折り返し部の側面図である。
【発明を実施するための形態】
【００１１】
つる３は、つる本体１とコイルばね２とから成る。つる本体１は、帯状のステンレス板で形成されている。ステンレス以外の金属でもよく、例えば鉄板にクロムなどをメッキしたものでもよい。コイルばね２は、ステンレス線で形成されている。ステンレス以外の材料でもよく、例えば鉄線にクロムなどをメッキしたものでもよい。コイルばね２はつる本体１よりも短く形成されている。つる本体１の幅はコイルばね２の内径よりも短く形成されて、コイルばね２につる本体１が挿通され、つる本体１の両端部はコイルばね２の両端からそれぞれはみ出している。
【００１２】
つる本体１は、コ字形に折り曲げられ、両端部が折り返されて折り返し部１３，１３が形成されている。両折り返し部１３，１３はつる本体１の鉛直部４，４に対してやや開いている。折り返し部１３，１３の端部の両側縁５，５にそれぞれ凹部６，６が設けられている。凹部６は、一方の折り返し部１３のみに設けたものでもよい。２つの凹部６，６の高さはやや異なっている。図５に示すように、凹部６の内径は、ばね線７の外径よりも短く形成されているが、ばね線７の外径よりも長く形成しても差し支えない。また、凹部６の内径が、ばね線７の外径の２倍前後でも差し支えない。１つの折り返し部１３に１つの凹部６を設けたものでもよく、３以上の凹部６を設けてもよい。凹部６の形状は四角形であるがこれに限定されるものでなく、例えば図６に示すように三角形の凹部１９，１９であってもよい。
【００１３】
コイルばね２は、その両端部のばね線７の巻きピッチが他の部分よりも密に形成され、ばね線同士が接している。また、コイルばね２の両端部は、開口１６に行くに従って途中から徐々に内径が広がるように形成されている。図２に示すように、コイルばね２の両端１０，１０は、折り返し１３，１３の端縁１１，１１と屈曲点１２，１２のほぼ中間の位置に届いている。そして、つる本体１の水平部８とそれを囲っているコイルばね２とで把持部９が形成されている。つる本体１の、把持部９を構成している部分の内側に竹製の当て板１５が固着されている。把持部９を持って土瓶１４を持ち上げたときに、つる本体１がコイルばね２に対して相対的に下降することを防止しするためである。
【００１４】
次に、つる３を土瓶１４に取り付ける方法について説明する。まず、つる３の折り返し部１３，１３を土瓶１４の掛け孔１７，１８に挿入して、土瓶１４を持ち上げ可能な状態にする。次いで、コイルばね２の前後いずれか一方の端１０が折り返し部１３の端縁１１よりも上方に来るまで、コイルばね２を収縮させる。次に、折り返し部１３が端縁１１からコイルばね２に挿入できるように、折り返し部１３をつる本体１の鉛直部４方向に押圧して、折り返し部１３と鉛直部４の間隔を狭める。次に、その押圧した状態でコイルばね２の収縮を少し解除し、図５に示すように折り返し部１３の端部がコイルばね２に挿入された時点で、折り返し部１３への押圧を解除する。そうすることにより、折り返し部１３の弾性的な復帰力により、折り返し部１３とコイルばね２は圧接状態となる。
【００１５】
図５は、折り返し部１３を含む面で切った断面図である。折り返し部１３の両側縁５，５は、折り返し部１３の弾性的な復帰力によって一部のばね線１７，１８に圧接している。折り返し部１３を含むつる本体１の幅はコイルばね２の内径よりも短いから、図５の状態において、折り返し部１３の端部はコイルばね２の中心から偏倚している。詳しく言うと、折り返し部１３の端部は、コイルばね２の中心からコイルばね２の内径の約４分の１の長さだけ偏倚している。すなわち、図５の断面はコイルばね２の中心位置での断面ではなく、コイルばね２の中心から偏倚した位置での断面図である。また、折り返し部１３の端部と対向するつる本体１の鉛直部４も、コイルばね２の中心からコイルばね２の内径の約４分の１の長さだけ偏倚している。したがって、その部分で折り返し部１３とつる本体１の鉛直部４の間隔はコイルばね２の内径の約２分の１となる。折り返し部１３の端部と、それに対向するつる本体１の鉛直部４とが弾性的にばね線１７，１８に圧接することにより、その部分でコイルばね２は押し広げられて内径が大きくなる。折り返し部１３の凹部６，６に当たっているばね線７，７も、仮に凹部６，６が存在しないときは他のばね線１７，１８と同じだけ押し広げられる。しかし、凹部６，６があるので、ばね線７，７が有する弾性的復帰力によってばね線１，７はやや内側に移動し凹部６，６に係止するのである。この係止作用によって、使用中に不意に指先などがコイルばね２の端部に触れても、ばね線７，７が凹部６，６に係止しているのでコイルばね２を収縮させることがなく、折り返し部１３の端部がコイルばね２から飛び出すことを防止することができる。図６に示すように凹部１９が三角形に形成されているときは、係止部２０に係止しているばね線の下側にあるばね線も凹部１９の方向にわずかではあるが移動するので、係止状態が強化される。なお、本発明が土瓶以外の掛け孔を有する液体つぎに使用できることは勿論である。
【産業上の利用可能性】
【００１６】
本発明は、帯状の金属板で形成されたつる本体１と、長さ方向に伸縮可能でつる本体１よりも短いコイルばね２とを組み合わせて形成された液体つぎのつるであって、コイルばね２に挿入されている折り返し部１３が不意に飛び出すことのないつるを提供することができる。
【符号の説明】
【００１７】
１  つる本体
２  コイルばね
３  つる
４  つる本体の鉛直部
５  折り返し部の側縁
６  凹部
７  ばね線
８  つる本体の水平部
９  把持部
１０  コイルばねの端
１１  折り返し部の端縁
１２  屈曲点
１３  折り返し部
１４  土瓶
１５  当て板
１６  開口
１７  掛け孔
１８  掛け孔
１９  凹部
２０  係止部
【図１】
0005441213.tif 000002
【図２】
0005441213.tif 000003
【図３】
0005441213.tif 000004
【図４】
0005441213.tif 000005
【図５】
0005441213.tif 000006
【図６】
0005441213.tif 000007